(57)【要約】ここに開示したのは補助バイザー付き帽子である。前記帽子には、十分な弾性を有し、ユーザーの頭に着用されるヘアバンドと、太陽光を遮断するように前記ヘアバンドの前部に結合されたフロントバイザーと、前記前記フロントバイザーの上部又は底面にヒンジ結合され、それに対して着脱手段によって固定された少なくとも１つの補助バイザーと、が含まれる。前記補助バイザーは、紫外線からユーザーの顔側面を保護できるように選択的に展開し、美観の観点から、前記フロントバイザーと重なり合うように折りたたまれるように構成されている。【選択図】  図１
2009504932.tif 000002
【特許請求の範囲】
【請求項１】
以下を含む補助バイザー付き帽子。ユーザーの頭に着用されるヘアバンドと、太陽光を遮断するように前記ヘアバンドの前部分に結合されたフロントバイザーと、前記フロントバイザーの上面にヒンジ結合され、着脱手段によって前記上面に固定された少なくとも１つの補助バイザー。
【請求項２】
以下を含む補助バイザー付き帽子。ユーザーの頭に着用されるヘアバンドと、太陽光を遮断するように前記ヘアバンドの前部分に結合されたフロントバイザーと、前記フロントバイザーの底面にヒンジ結合され、着脱手段によって前記底面に固定された少なくとも１つの補助バイザー。
【請求項３】
以下を含む補助バイザー付き帽子。ユーザーの頭に着用されるヘアバンドと、太陽光を遮断するように前記ヘアバンドの前部分に結合されたフロントバイザーと、前記フロントバイザーの上面にヒンジ結合され、着脱手段によって前記上面に固定された複数の上部補助バイザーと、前記フロントバイザーの底面にヒンジ結合され、着脱手段によって前記底面に固定された複数の下部補助バイザー。
【請求項４】
以下を含む補助バイザー付き帽子。ユーザーの頭に着用されるヘアバンドと、太陽光を遮断するように前記ヘアバンドの前部分に結合されたフロントバイザーと、前記フロントバイザーの上側面にヒンジ結合され、着脱手段によって前記側面に固定された上部補助バイザーと、前記フロントバイザーの底側面にヒンジ結合され、着脱手段によって前記側面に固定され、前記上部補助バイザーと前記下部補助バイザーが対角線上に位置決めされていることを特徴とする下部補助バイザー。
【請求項５】
請求項１又は２で特許請求したとおりの補助バイザー付き帽子であって、前記補助バイザーが前記フロントバイザーの半分に相当する形状を有し、リベットによって前記フロントバイザーにヒンジ結合されることを特徴とする補助バイザー付き帽子。
【請求項６】
請求項１〜４のうちの１項ｊで特許請求したとおりの前記補助バイザー付き帽子であって、前記着脱手段がベルクロファスナー又はスナップファスナーであることを特徴とする補助バイザー付き帽子。
【発明の詳細な説明】
【技術分野】
【０００１】
本発明は、補助バイザー付き帽子に関するものであって、特にフロントバイザーと、ユーザーの顔側面を保護しようとする際に前記フロントバイザー側に折りたたんだり展開したりできるように前記フロントバイザーにヒンジ結合された補助バイザーと、が付いている帽子に関するものである。
【背景技術】
【０００２】
一般に、帽子は屋外活動中、たとえば登山や魚釣り中又は浜辺や遊び場で太陽光を遮断するためにユーザーの頭に着用される。帽子には、十分な弾性を有し、頭部に着用されるヘアバンドと、太陽光を遮断するように角度調整が可能な方式でヒンジユニットによって前記ヘアバンドの前部両側に連結されたと、が含まれる。
【０００３】
しかしながら、従来の帽子には、ユーザーの顔前面部に照射する太陽光は遮断できるが、屋外活動中（たとえばスポーツの観戦）やレジャー活動中に顔側面を照射する太陽光が遮断できないという点に問題がある。
【０００４】
ここで、関連特許公開で開示されている従来の帽子を簡単に説明する。
【０００５】
韓国実用新案登録第２０-２４６４３７号では、「補助バイザー付きＶ字形遮断帽子」と題する帽子が開示されている。
【０００６】
上記公開で開示されている帽子（明確を期するため図示せず）には、十分な弾性を有し、頭部に着用されるヘアバンドと、角度調整が可能な方式でヒンジユニットによって前記ヘアバンドの前部両側に連結されたバイザーと、ユーザーの首を保護できるようにスナップボタンによって前記ヘアバンドの後部両側に着脱可能に連結された補助バイザーと、が含まれる。前記バイザーと前記補助バイザーは透明材料、具体的にはティンテッド紫外線遮断ＰＥＴフィルムから成る。
【０００７】
従来の帽子には、うなじのみは保護できるが、ユーザーの顔側面が保護できないという問題点が依然としてある。
【特許文献１】韓国実用新案登録第２０-２４６４３７号
【発明の開示】
【発明が解決しようとする課題】
【０００８】
従来の帽子には、ユーザーの顔前面部に照射する太陽光は遮断できるが、屋外活動中（たとえばスポーツの観戦）やレジャー活動中に顔側面を照射する太陽光が遮断できないという点に問題がある。
【０００９】
また、従来の帽子には、うなじのみは保護できるが、ユーザーの顔側面が保護できないという問題点が依然としてある。
【課題を解決するための手段】
【００１０】
したがって、本発明は、前述の問題点に鑑みてなされたものであり、ユーザーの顔前面部のみでなく側面も保護できる、よって所望のとおりに紫外線を遮断できるようになっている補助バイザー付き帽子を提供することが本発明の目的である。
【００１１】
本発明の一態様によれば、補助バイザー付き帽子が提供され、前記帽子には、ユーザーの頭に着用されるヘアバンドと、太陽光を遮断するように前記ヘアバンドの前部分に結合されたフロントバイザーと、前記フロントバイザーの上面にヒンジ結合され、着脱手段によって前記上面に固定された少なくとも１つの補助バイザーと、が含まれることを特徴とする。
【００１２】
好ましくは、前記帽子には、前記フロントバイザーの底面にヒンジ結合され、着脱手段によって前記底面に固定された少なくとも１つの補助バイザーがさらに含まれる。
【００１３】
本発明の別の態様によれば、補助バイザー付き帽子が提供され、前記帽子には、ユーザーの頭に着用されるヘアバンドと、太陽光を遮断するように前記ヘアバンドの前部分に結合されたフロントバイザーと、前記フロントバイザーの上面にヒンジ結合され、着脱手段によって前記上面に固定された複数の上部補助バイザーと、前記フロントバイザーの底面にヒンジ結合され、着脱手段によって前記底面に固定された複数の下部補助バイザーと、が含まれることを特徴とする。
【００１４】
本発明のさらに別の態様によれば、補助バイザー付き帽子が提供され、前記帽子には、ユーザーの頭に着用されるヘアバンドと、太陽光を遮断するように前記ヘアバンドの前部分に結合されたフロントバイザーと、前記フロントバイザーの上側面にヒンジ結合され、着脱手段によって前記側面に固定された上部補助バイザーと、前記フロントバイザーの底側面にヒンジ結合され、着脱手段によって前記側面に固定された下部補助バイザーと、が含まれることを特徴とし、さらに前記上部補助バイザーと前記下部補助バイザーが対角線上に位置決めされていることも特徴とする。
【発明の効果】
【００１５】
本発明にしたがって提供される補助バイザー付き帽子は、美観の観点から前記フロントバイザー上に折りたたむことができる前記補助バイザーを展開することによって、選択的にユーザーの顔側面を紫外線から保護することができる。
【発明を実施するための最良の形態】
【００１６】
以下、本発明の好ましい実施形態を添付図面を参照して説明する。次に挙げる説明及び図面では、同一又は類似構成要素には同一参照番号を付して、重複する同一又は類似構成要素の説明を省略する。
【００１７】
本発明の第１〜第６実施形態に係る帽子には、基本的に従来の帽子の場合と同様に、十分な弾性を有し、ユーザーの頭に着用されるヘアバンド４と、太陽光を遮断するように前記ヘアバンド４の前部に連結されたフロントバイザー２と、が含まれる。
【００１８】
図１は、本発明の第１実施形態に係る帽子を示す斜視図である。
【００１９】
前記図面を参照すると、複数の補助バイザー８ａ及び８ｂは、前記フロントバイザー２の上面に位置決めされる。前記補助バイザー８ａ及び８ｂは、前記フロントバイザー２と同一形状を有するバイザーをそのセンターラインに沿ってニ等分することによって得られる。各補助バイザー８ａ及び８ｂの後部分は、リベットによって前記フロントバイザー２にヒンジ結合される。
【００２０】
好ましくは、前記複数個の補助バイザー８ａ及び８ｂは、折りたたまれた際に前記フロントバイザー２とぴったり重なり合うようにする。
【００２１】
展開された際には、図７に示すように前記補助バイザー８ａ及び８ｂは、前記フロントバイザー２の周縁に沿って位置決めされるので、太陽光から保護される領域が両側で少なくとも１．５倍増大される 。
【００２２】
前記フロントバイザー２と前記補助バイザー８ａ及び８ｂは、その上面及び底面に位置決めされた対応着脱手段６をそれぞれ有するので、前記補助バイザー８ａ及び８ｂを前記フロントバイザー２の上面に締着することができるようになっている。
【００２３】
前記着脱手段６としては、好ましくはベルクロファスナー又はスナップファスナーが使用される（ベルクロファスナーが最も好ましい）。前記着脱手段６は、必要に応じて前記補助バイザー８ａ及び８ｂの周縁の一部又は全体に沿って延出することも可能である。
【００２４】
本実施形態では、複数の補助バイザー８ａ及び８ｂが前記フロントバイザー２上面の両側に位置決めされるが、１つの補助バイザーのみを左側又は右側に位置決めすることも可能である。
【発明の実施態様】
【００２５】
図２は、本発明の第２実施形態に係る帽子を示す斜視図である。
【００２６】
前記図面を参照すると、補助バイザー８ｂは、ユーザーの好みに基づいてユーザーの顔の両側のうちの一方を太陽光から保護できるように、前記フロントバイザー２の上面の片側に位置決めされている。
【００２７】
先の実施形態の場合のように、ベルクロファスナーは、着脱手段６として前記フロントバイザー２の上面と補助バイザー８ｂの底面とにそれぞれ位置決めされる。
【００２８】
また、前記補助バイザーを前記フロントバイザー２の底面に位置決めすることも可能である。
【００２９】
図３は、本発明の第３実施形態に係る下の帽子を示す斜視図である。
【００３０】
前記図面を参照すると、複数の補助バイザー１０ａ及び１０ｂは前記フロントバイザー２の底面に位置決めされる。前記補助バイザー１０ａ及び１０ｂは、前記フロントバイザー２と同一形状を有するバイザーをそのセンターラインに沿ってニ等分することによって得られる。各補助バイザー１０ａ及び１０ｂの後部分は、リベット９によって前記フロントバイザー２にヒンジ結合される。
【００３１】
前記フロントバイザー２と前記補助バイザー１０ａ及び１０ｂは、その底面及び上面に位置決めされた対応着脱手段６をそれぞれ有するので、前記補助バイザー１０ａ及び１０ｂを前記フロントバイザー２の底面に締着することができるようになっている。
【００３２】
ベルクロファスナーは、前述のとおり好ましくは前記着脱手段６として使用される。
【００３３】
前記フロントバイザー２の底面に位置決めされる前記補助バイザー１０ａ及び１０ｂは、前記底面に折りたたまれた際、好ましくは前記フロントバイザー２と重なり合うので、美観の観点から外側から見えないようになっている。
【００３４】
本実施形態では、複数の補助バイザー１０ａ及び１０ｂは前記フロントバイザー２底面の両側に位置決めされるが、１つの補助バイザーのみを左側又は右側に位置決めすることも可能である。
【００３５】
図４は、本発明の第４実施形態に係る帽子を示す斜視図である。
【００３６】
前記図面を参照すると、補助バイザー１０ｂは、ユーザーの好みに基づいてユーザーの顔の両側のうちの一方を太陽光から保護できるように、前記フロントバイザー２の底面の片側に位置決めされる。
【００３７】
前述のとおり、ベルクロファスナーは着脱手段６として前記フロントバイザー１０ａの底面と補助バイザー２の上面とにそれぞれ位置決めされる。
【００３８】
図５は、本発明の第５実施形態に係る帽子を示す斜視図である。
【００３９】
前記図面を参照すると、複数の上部補助バイザー８ａ及び８ｂと下部補助バイザー１０ａ及び１０ｂとは、前記フロントバイザー２の上面及び底面にそれぞれ位置決めされる。前記補助バイザーは、前記フロントバイザー２と同一形状を有するバイザーをそのセンターラインに沿ってニ等分することによって得られ、前記フロントバイザー２にヒンジ結合される。
【００４０】
前記フロントバイザー２の上面及び底面にそれぞれ折りたたまれる際、前記上部補助バイザー８ａ及び８ｂと前記下部補助バイザー１０ａ及び１０ｂとは前記フロントバイザー２と重なり合う。展開された際には、該補助バイザーは並んで位置決められるので、該補助バイザーによって保護される領域は二重に保護される。
【００４１】
前記上部補助バイザー８ａ及び８ｂと前記下部補助バイザー１０ａ及び１０ｂとのうちの１つ又は両方を所望のとおり前記フロントバイザー２の上面及び底面からそれぞれ展開することも可能である。
【００４２】
前記フロントバイザー２と、前記上部補助バイザー８ａ及び８ｂと、前記下部補助バイザー１０ａ及び１０ｂとは、上面及び底面の両方に位置決めされた対応着脱手段６を有するので、前記上部補助バイザー８ａ及び８ｂと、前記下部補助バイザー１０ａ及び１０ｂとを前記フロントバイザー２の上面及び底面にそれぞれ締着することが可能になっている。
【００４３】
前記着脱手段６としては、好ましくはベルクロファスナー又はスナップファスナーが使用される（ベルクロファスナーが最も好ましい）。
【００４４】
図６は、本発明の第６実施形態に係る帽子を示す斜視図である。
【００４５】
前記図面を参照すると、上部補助バイザー８ｂと下部補助バイザー１０ｂとは対角構成で、前記フロントバイザー２上面の片側と、その底面の片側とにそれぞれヒンジ結合される。
【００４６】
たとえば、前記上部補助バイザー８ｂは前記フロントバイザー２の上面の左側に位置決めされ、前記下部補助バイザー１０ｂは、その底面の右側に位置決めされる。
【００４７】
この場合は、前記上部補助バイザー８ｂと前記下部補助バイザー１０ｂとは、ユーザーの顔の左側及び右側をそれぞれ保護できるように展開される。
【００４８】
前記上部補助バイザー８ｂと前記下部補助バイザー１０ｂとは、前述のとおり、前記フロントバイザー２の半分に相当するサイズと形状を有するので、美観の観点から前記フロントバイザー２の上面及び底面にそれぞれ折りたたまれるようになっている。
【００４９】
前記上部補助バイザー８ｂ、前記下部補助バイザー１０ｂ、及び前記フロントバイザー２は、前述のとおり着脱手段６を有するので、固定状態を保てるようになっている。  本発明は、現時点で最も実用的かつ好適な実施形態を参照して説明を行ったが、当然のことながら、本発明は開示した実施形態及び図面に限定されるものではなく、むしろ、種々の修正形態及び変形形態を添付の請求項の趣旨及び範囲内に含めることを意図するものである。
【００５０】
たとえば、本発明はあらゆるタイプの帽子に適用することが可能である。
【産業上の利用可能性】
【００５１】
前述から分かるように、本発明にしたがって提供される補助バイザー付き帽子は、美観の観点から前記フロントバイザー上に折りたたむことができる前記補助バイザーを展開することによって、選択的にユーザーの顔側面を紫外線から保護することができる。
【図面の簡単な説明】
【００５２】
本発明の前述及び他の目的、特徴及び利点は、下記の添付図面を併用すると、以下の詳細説明からより明らかになるであろう。
【図１】図１は、本発明の第１実施形態に係る帽子を示す斜視図であり、
【図２】図２は、本発明の第２実施形態に係る帽子を示す斜視図であり、
【図３】図３は、本発明の第３実施形態に係る下の帽子を示す斜視図であり、
【図４】図４は、本発明の第４実施形態に係る下の帽子を示す斜視図であり、
【図５】図５は、本発明の第５実施形態に係る帽子を示す斜視図であり、
【図６】図６は、本発明の第６実施形態に係る帽子を示す斜視図であり、さらに、
【図７】図７は、本発明の第６実施形態に係る帽子の使用例を示すものである。
【図１】
2009504932.tif 000003
【図２】
2009504932.tif 000004
【図３】
2009504932.tif 000005
【図４】
2009504932.tif 000006
【図５】
2009504932.tif 000007
【図６】
2009504932.tif 000008
【図７】
2009504932.tif 000009
【国際調査報告】
2009504932.tif 000010
2009504932.tif 000011